(57)【要約】【課題】内部に水が入り込まないように浴室壁面に取り付けることができる浴室壁取付け用電気機器を提供する。【解決手段】浴室壁取付け用電気機器は、背面に設けられた配線取出し部１３を有するテレビ１０と、配線取出し部１３から延びたコード１３Ａを挿通する中央開口部３１Ａが形成されており、浴室壁面１に固定され、テレビ１０の背面を浴室壁面１側に向けてテレビ１０を着脱自在に取り付ける取付け具３０と、テレビ１０が浴室壁面１に固定された取付け具３０に取り付けられた際、配線取出し部１３の周りを囲み、取付け具３０の中央開口部３１Ａを挿通してテレビ１０と浴室壁面１との間で押し潰されて挟まれる第１止水部材５０と、取付け具３０が浴室壁面１に固定された際、取付け具３０の中央開口部３１Ａよりも上方で水平方向に延びており、取付け具３０と浴室壁面１との間で押し潰されて挟まれる第２止水部材６０とを備えている。【選択図】図１
2018074276.tif 000002
【特許請求の範囲】
【請求項１】
背面に設けられた配線取出し部を有する電気機器本体と、
前記配線取出し部から延びた配線を挿通する開口部が形成されており、浴室壁面に固定され、前記電気機器本体の背面を前記浴室壁面側に向けて前記電気機器本体を着脱自在に取り付ける取付け具と、
前記電気機器本体が前記浴室壁面に固定された前記取付け具に取り付けられた際、前記配線取出し部の周りを囲み、前記取付け具の前記開口部を挿通して前記電気機器本体と前記浴室壁面との間で押し潰されて挟まれる第１止水部材と、
前記取付け具が前記浴室壁面に固定された際、前記取付け具の前記開口部よりも上方で水平方向に延びており、前記取付け具と前記浴室壁面との間で押し潰されて挟まれる第２止水部材と、
を備えていることを特徴とする浴室壁取付け用電気機器。
【請求項２】
前記電気機器本体が前記取付け具に取り付けられた際、前記第１止水部材よりも上方で水平方向に延びており、前記電気機器本体と前記取付け具との間で押し潰されて挟まれる第３止水部材を備えていることを特徴とする請求項１記載の浴室壁取付け用電気機器。
【請求項３】
前記第２止水部材はペースト状のシーリング材を塗布して形成されることを特徴とする請求項１又は２記載の浴室壁取付け用電気機器。
【請求項４】
前記第１止水部材及び前記第３止水部材はパッキンであることを特徴とする請求項２又は請求項２を引用する請求項３記載の浴室壁取付け用電気機器。
【発明の詳細な説明】
【技術分野】
【０００１】
本発明は浴室壁取付け用電気機器に関するものである。
【背景技術】
【０００２】
特許文献１に従来の浴室壁取付け用電気機器が開示されている。この浴室壁取付け用電気機器は、電気機器本体であるテレビ、取付け金具、及びパッキンを備えている。テレビは背面に複数の電線が延び出している開口が形成されている。取付け金具はテレビの背面の開口から延び出た電線を挿通する開口が形成されている。この取付け金具は浴室壁面に固定される。また、この取付け金具はテレビの背面の上縁部と下縁部の夫々に設けられた穴に係合する係合部を有している。この取付け金具は、テレビの背面を浴室壁面側に向け、テレビの背面に設けられた穴に係合部を係合させることによって、テレビを着脱自在に取り付ける。パッキンはテレビの背面に設けられた電線が延び出している開口の周りを囲むようにテレビの背面に貼り付けられている。このパッキンは、テレビが浴室壁面に固定された取付け金具に取り付けられた際、取付け金具の開口を挿通してテレビと浴室壁面との間で押し潰されて挟まれる。このため、この壁取付け用電気機器は、テレビの背面の開口からテレビ内に水が入り込むことをパッキンによって防止し、浴室壁面に取り付けることができる。
【先行技術文献】
【特許文献】
【０００３】
【特許文献１】特開２０１０−４１０８６号公報
【発明の概要】
【発明が解決しようとする課題】
【０００４】
しかし、特許文献１の浴室壁取付け用電気機器は、テレビと浴室壁面との間でパッキンが押し潰されることによって止水するため、止水効果はパッキンの押し潰し量に影響する。このため、この浴室壁取付け用電気機器は浴室壁面に凹凸が有ると、パッキンの押し潰し量が少ない部分が生じ、止水効果が不十分になるおそれがある。また、この浴室壁取付け用電気機器は、テレビの背面の上縁部と下縁部の夫々に形成された穴に取付け金具の係合部を係合してテレビが取り付けられている。このため、この浴室壁取付け用電気機器は、テレビが大型化し、係合部（テレビの背面に形成された穴と取付け金具の係合部が係合している部分）とパッキンとの間隔が大きくなると、テレビの撓み等によって、パッキンの押し潰し量が少なくなり、止水効果が不十分になるおそれがある。
【０００５】
本発明は、上記従来の実情に鑑みてなされたものであって、内部に水が入り込まないように浴室壁面に取り付けることができる浴室壁取付け用電気機器を提供することを解決すべき課題としている。
【課題を解決するための手段】
【０００６】
本発明の浴室壁取付け用電気機器は、
背面に設けられた配線取出し部を有する電気機器本体と、
前記配線取出し部から延びた配線を挿通する開口部が形成されており、浴室壁面に固定され、前記電気機器本体の背面を前記浴室壁面側に向けて前記電気機器本体を着脱自在に取り付ける取付け具と、
前記電気機器本体が前記浴室壁面に固定された前記取付け具に取り付けられた際、前記配線取出し部の周りを囲み、前記取付け具の前記開口部を挿通して前記電気機器本体と前記浴室壁面との間で押し潰されて挟まれる第１止水部材と、
前記取付け具が前記浴室壁面に固定された際、前記取付け具の前記開口部よりも上方で水平方向に延びており、前記取付け具と前記浴室壁面との間で押し潰されて挟まれる第２止水部材と、
を備えていることを特徴とする。
【０００７】
この浴室壁取付け用電気機器は、電気本体と浴室壁面との間で押し潰されて挟まれる第１止水部材のみでなく、取付け具の開口部よりも上方、つまり第１止水部材よりも上方で水平方向に延びて、取付け具と浴室壁面との間で押し潰される第２止水部材を備えているため、浴室壁面を伝って流れ落ちる水が第２止水部材よりも下方に位置する第１止水部材まで流れ落ちにくくなり、配線取出し部から電気機器本体内に水が浸入し難くすることができる。
【０００８】
したがって、本発明の浴室壁取付け用電気機器は内部に水が入り込まないように浴室壁面に取り付けることができる。
【図面の簡単な説明】
【０００９】
【図１】実施例１の浴室壁取付け用電気機器を示す分解斜視図である。
【図２】実施例１の浴室壁取付け用電気機器の取付け具を透視した背面図である。
【図３】図２の矢視Ｘ−Ｘ断面図である。
【図４】実施例１の浴室壁取付け用電気機器においてテレビを取り外した状態を示す断面図である。
【発明を実施するための形態】
【００１０】
本発明における好ましい実施の形態を説明する。
【００１１】
本発明の浴室壁取付け用電気機器は、前記電気機器本体が前記取付け具に取り付けられた際、前記第１止水部材よりも上方で水平方向に延びており、前記電気機器本体と前記取付け具との間で押し潰されて挟まれる第３止水部材を備え得る。この場合、第１止水部材よりも上方で水平方向に延びて、電気機器本体と取付け具との間で押し潰される第３止水部材を備えているため、電気機器本体の背面を伝って流れ落ちる水が第３止水部材よりも下方に位置する第１止水部材まで流れ落ちにくくなり、配線取出し部から電気機器本体内に水が浸入し難くすることができる。
【００１２】
本発明の浴室壁取付け用電気機器において、前記第２止水部材はペースト状のシーリング材を塗布して形成され得る。この場合、第２止水部材がペースト状であるため、浴室壁面に凹凸が有っても取付け具と浴室壁面との間に第２止水部材を隙間なく充填することができる。このため、この浴室壁取付け用電気機器は、浴室壁面を伝って流れ落ちる水が第２止水部材よりも下方に位置する第１止水部材まで流れ落ちることを確実に防止することができる。よって、この浴室壁取付け用電気機器は、より確実に配線取出し部から電気機器本体内に水が浸入し難くすることができる。
【００１３】
本発明の浴室壁取付け用電気機器において、前記第１止水部材及び前記第３止水部材はパッキンであり得る。この場合、電気器本体と浴室壁面との間で押し潰されて挟まれる第１止水部材、及び電気機器保体と取付け具との間で押し潰されて挟まる第３止水部材がパッキンである。このため、この浴室壁取付け用電気機器は電気機器本体を取付け具に着脱自在に容易に取り付けることができる。よって、この浴室壁取付け用電気機器は電気機器本体を取付け具から取り外して修理や、交換を容易に行うことができる。
【００１４】
次に、本発明の浴室壁取付け用電気機器を具体化した実施例１について、図面を参照しつつ説明する。
【００１５】
＜実施例１＞
実施例１の浴室壁取付け用電気機器は、図１に示すように、電気機器本体であるテレビ１０、取付け具３０、第１止水部材５０、第２止水部材６０、第３止水部材７０、及び２個のリベット８０を備えている。テレビ１０は、浴室壁面１に取り付けられた状態で、正面視において、横長四角形状であり、厚さが薄い略平板形状である。テレビ１０は、図１及び図２に示すように、背面に設けられた配線取出し部１３を有している。配線取出し部１３はテレビ１０の内部から複数の配線が延び出しており、これら複数の配線を束ねたコード１３Ａが配線取出し部１３から外部に延びている。
【００１６】
テレビ１０は背面の上縁部に水平方向に同じ高さに並んだ４個の係止孔１５が形成されている。各係止孔１５は水平方向に長い長孔形状である。４個の係止孔１５のうち、２個の係止孔１５はテレビ１０の左右両端に近い部分に形成されており、残りの２個の係止孔１５はテレビ１０の左右中央部に間隔を開けて並んで形成されている。テレビ１０は、図３及び図４に示すように、内部に係止孔１５に連続した第１空洞部１５Ａが形成されている。各係止孔１５は、後述する取付け具３０の係止爪３３が挿入され、係止爪３３が係止孔１５の上縁部１５Ｂに係止する。なお、図３及び図４において、テレビ１０の内部機構は図示を省略している。
【００１７】
また、テレビ１０は、図１に示すように、下縁部に水平方向に同じ高さに並んだ２個の挿入孔１７が形成されている。各挿入孔１７は水平方向に長い長孔形状である。２個の挿入孔１７は、テレビ１０の左右両端に近い部分であって、テレビ１０の左右両端に近い部分の上縁に形成された２個の係止孔１５の下方に形成されている。テレビ１０は、図３及び図４に示すように、内部に各挿入孔１７に連続した第２空洞部１７Ａが形成されている。各挿入孔１７は、後述する取付け具３０の挿入片３５の水平部３５Ｂが挿入される。テレビ１０は第２空洞部１７Ａの下面を貫通する貫通孔１７Ｂが形成されている。貫通孔１７Ｂは後述するリベット８０が下方から挿入される。
【００１８】
取付け具３０は、図１〜図４に示すように、取付け具本体３１、４個の係止爪３３、及び２個の挿入片３５を有している。取付け具３０は、ステンレス製の板材を所定の形状に切り抜いた後、折り曲げ加工することによって、取付け具本体３１、各係止爪３３、及び各挿入片３５を形成している。取付け具本体３１は、浴室壁面１に固定された状態で、外形状が横長四角形状である。取付け具本体３１は１個の中央開口部３１Ａと２個の左右開口部３１Ｂとが形成されている。中央開口部３１Ａは、取付け具本体３１の左右中央部に形成されており、後述する第１止水部材５０の外形よりも大きく、四隅が湾曲した略縦長四角形状である。また、中央開口部３１Ａはテレビ１０の背面に設けられた配線取出し部１３から延びたコード１３Ａを挿通する。各左右開口部３１Ｂは中央開口部３１Ａの左右にそれぞれ形成されている。中央開口部３１Ａ及び左右開口部３１Ｂは上辺と下辺が水平に延びた一直線上に並んでいる。つまり、左右開口部３１Ｂは、上下幅が中央開口部３１Ａと等しく、左右幅が中央開口部３１Ａの約半分であり、四隅が湾曲した略縦長四角形状である。中央開口部３１Ａと各左右開口部３１Ｂとの間隔は等しい。取付け具本体３１は、浴室壁面１に固定するためのねじ３を挿通する５個の挿通孔３２が形成されている。５個の挿通孔３２のうち４個の挿通孔３２は取付け具本体３１の４隅の角部にそれぞれ形成されており、水平方向に長い長孔である。また、５個の挿通孔３２のうち残りの１個の挿通孔３２は取付け具本体３１の左右中央部であって中央開口部３１Ａよりも上側に形成されており、丸孔である。
【００１９】
４個の係止爪３３は、図１及び図２に示すように、取付け具本体３１の上縁部に連続して形成されている。各係止爪３３は延長部３３Ａ、水平部３３Ｂ、及び立上り部３３Ｃを有している。延長部３３Ａは取付け具本体３１と同一平面上を上方に延びた横長四角形状である。水平部３３Ｂは延長部３３Ａの上端で屈曲して前方に延びている。水平部３３Ｂは、テレビ１０の係止孔１５の上縁部１５Ｂの厚みと略等しい長さ分、前方に延びている。立上り部３３Ｃは、水平部３３Ｂの先端で屈曲して上方に延び、先端部が僅かに前方に傾斜している。４個の係止爪３３のうち２個の係止爪３３は取付け具本体３１の上縁部の左右両端部に形成されている。これら２個の係止爪３３の水平部３３Ｂ及び立上り部３３Ｃはテレビ１０の背面の上縁部の左右両端に近い部分に形成された２個の係止孔１５にそれぞれ挿入され係止する。また、４個の係止爪３３のうち残りの２個の係止爪３３は、取付け具本体３１の上縁部の左右中央部に形成されている。これら２個の係止爪３３の水平部３３Ｂ及び立上り部３３Ｃはテレビ１０の背面の上縁部の左右中央部に形成された２個の係止孔１５にそれぞれ挿入され係止する。
【００２０】
２個の挿入片３５は取付け具本体３１の下縁部に連続して形成されている。各挿入片３５は、延長部３５Ａ、及び水平部３５Ｂを有している。延長部３５Ａは取付け具本体３１と同一平面上を下方に延びた横長四角形状である。水平部３５Ｂは延長部３５Ａの下端で屈曲して前方に延び、先端部が僅かに上方に傾斜している。水平部３５Ｂは後述するリベット８０が挿通して係止する孔３５Ｃが形成されている。２個の挿入片３５は取付け具本体３１の下縁部の左右両端部に形成されている。これら２個の挿入片３５の水平部３５Ｂはテレビ１０の背面の下縁部の左右両端に近い部分に形成された２個の挿入孔１７に挿入される。
【００２１】
第１止水部材５０は弾性を有する発泡性の樹脂シートで形成されたパッキンである。第１止水部材５０は縦長の円環状である。第１止水部材５０は、テレビ１０の配線取出し部１３の周りを囲むように、テレビ１０の裏面に貼り付けられている。第１止水部材５０は取付け具本体３１の中央開口部３１Ａよりも小さい。
【００２２】
第２止水部材６０はペースト状のシーリング材であるシリコーンシーラントである。第２止水部材６０であるシリコーンシーラントは取付け具本体３１の裏面にコーキングガンで塗布される。詳しくは、第２止水部材６０は、取付け具本体３１に形成された一方の左右開口部３１Ｂの左右中央部の上方から他方の左右開口部３１Ｂの左右中央部の上方まで水平方向に延びるように取付け具本体３１の裏面に塗布される。つまり、第２止水部材６０は、取付け具本体３１に形成された中央開口部３１Ａ及び左右開口部３１Ｂよりも上方で水平方向に取付け具本体３１の裏面に延びるように塗布される。
【００２３】
第３止水部材７０は弾性を有する発泡性の樹脂シートで形成されたパッキンである。第３止水部材７０は一直線上に延びた帯状である。第３止水部材７０は、第１止水部材５０よりも上方で水平方向に延びるように、テレビ１０の裏面に貼り付けられている。第３止水部材７０は、テレビ１０が取付け具３０に取り付けられた際、取付け具本体３１に形成された中央開口部３１Ａ及び左右開口部３１Ｂよりも上方の取付け具本体３１の表面に当接する位置に貼り付けられている。
【００２４】
リベット８０は、図３及び図４に示すように、頭部８１と軸部８３とを有する樹脂製である。頭部８１は、先端が窄まった筒状の頭部本体８１Ａと、頭部本体８１Ａの後端から外側に拡がった鍔部８１Ｂとを有している（図４参照）。頭部本体８１Ａは先端から後方に延びる４本のスリットが等間隔に形成されている。軸部８３は、先端部が膨らんだ軸部本体８３Ａと、軸部本体８３Ａの後端から外側に拡がった鍔部８３Ｂとを有している（図４参照）。リベット８０は、軸部本体８３Ａが頭部本体８１Ａ内に挿入されており、軸方向に進退自在である。リベット８０は、軸部本体８３Ａの先端部が頭部本体８１Ａの先端に位置するまで軸部本体８３Ａを頭部本体８１Ａ内に押し込むと、頭部本体８１Ａの先端部が弾性変形して外側に膨らんだ係止状態になる。リベット８０は、係止状態からマイナスドライバー等の工具の先端を軸部本体８３Ａの鍔部８３Ｂに引っ掛けて、軸部本体８３Ａの先端部を頭部本体８１Ａの先端から後退させると、頭部本体８１Ａの先端部が弾性力によって元の外径に縮径した被係止状態になる。
【００２５】
このような構成を有する浴室壁取付け用電気機器は、次に説明するように浴室壁面１に取り付けられる。
先ず、図１に示すように、テレビ１０の背面に設けられた配線取出し部１３から延びたコード１３Ａを挿通する開口１Ａが形成された浴室壁面１に取付け具３０を固定する。
この際、取付け具本体３１に形成された一方の左右開口部３１Ｂの左右中央部の上方から他方の左右開口部３１Ｂの左右中央部の上方まで水平方向に延びるように、取付け具３０の裏面にコーキングガンで第２止水部材６０であるシリコーンシーラントを塗布する。そして、取付け具３０を５個のねじ３で浴室壁面１に固定する。すると、取付け具３０の裏面に塗布された第２止水部材６０が取付け具３０と浴室壁面１との間で押し潰されて挟まれた状態になる。第２止水部材６０はペースト状のシーリング材であるシリコーンシーラントであるため、浴室壁面１に凹凸が有っても取付け具３０と浴室壁面１との間に第２止水部材６０であるシリコーンシーラントを隙間なく充填することができる。
【００２６】
次に、図３に示すように、テレビ１０を取付け具３０に取り付ける。
この際、先ず、テレビ１０の上端部を取付け具３０に近づけ、取付け具３０の４個の係止爪３３の立上り部３３Ｃがテレビ１０の背面に形成された４個の係止孔１５の夫々の上縁部１５Ｂに係止するように、４個の係止爪３３の立上り部３３Ｃ及び水平部３３Ｂを４個の係止孔１５の夫々に挿入する。取付け具３０の４個の係止爪３３の立上り部３３Ｃがテレビ１０の背面に形成された４個の係止孔１５の夫々の上縁部１５Ｂに係止した状態で、取付け具３０の２個の挿入片３５の水平部３５Ｂがテレビ１０の背面に形成された２個の挿入孔１７の夫々に挿入するように、テレビ１０の下端部を取付け具３０に近づけ、テレビ１０の背面を取付け具３０に当接させる。すると、テレビ１０の第２空洞部１７Ａの下面を貫通する貫通孔１７Ｂと、取付け具３０の挿入片３５の水平部３５Ｂに形成された孔３５Ｃとが重なった状態になる。そして、被係止状態のリベット８０を下方からテレビ１０の貫通孔１７Ｂと取付け具３０の孔３５Ｃに挿通し、リベット８０の軸部本体８３Ａを頭部本体８１Ａ内に押込み、リベット８０を係止状態にする。すると、リベット８０の頭部本体８１Ａの先端部が弾性変形して外側に膨らみ、リベット８０が取付け具３０の挿入片３５の水平部３５Ｂに形成された孔３５Ｃに抜け止め状態で係止する。このようにして、テレビ１０は取付け具３０に取り付けられる。この状態で、第１止水部材５０は取付け具３０の中央開口部３１Ａを挿通してテレビ１０と浴室壁面１との間で押し潰されて挟まれる。また、第３止水部材７０はテレビ１０と取付け具３０との間で押し潰されて挟まれる。
【００２７】
このように、この浴室壁取付け用電気機器は、テレビ１０と浴室壁面１との間で押し潰されて挟まれる第１止水部材５０のみでなく、取付け具３０の中央開口部３１Ａよりも上方、つまり第１止水部材５０よりも上方で水平方向に伸びて、取付け具３０と浴室壁面１との間で押し潰される第２止水部材６０を備えている。このため、この浴室壁取付け用電気機器は、図２に示すように、浴室壁面１を伝って流れ落ちる水Ｗ１が第２止水部材６０よりも下方に位置する第１止水部材５０まで流れ落ちずに、取付け具３０の左右開口部３１Ｂの縁部に沿って取付け具３０の背面に沿って流れ落ちる。よって、この浴室壁取付け用電気機器は、配線取出し部１３から電気機器本体内に水が浸入し難くすることができる。
【００２８】
したがって、実施例１の浴室壁取付け用電気機器は内部に水が入り込まないように浴室壁面１に取り付けることができる。
【００２９】
また、この浴室壁取付け用電気機器は、第１止水部材５０よりも上方で水平方向に延びて、テレビ１０と取付け具３０との間で押し潰される第３止水部材７０を備えている。このため、この浴室壁取付け用電気機器は、図２に示すように、テレビ１０の背面を伝って流れ落ちる水Ｗ２が第３止水部材７０よりも下方に位置する第１止水部材５０まで流れ落ちずに、取付け具３０の左右開口部３１Ｂの縁部に沿って取付け具３０の背面に沿って流れ落ちる。よって、この浴室壁取付け用電気機器は、配線取出し部１３から電気機器本体内に水が浸入し難くすることができる。
【００３０】
また、この浴室壁取付け用電気機器は、第２止水部材６０がシリコーンシーラントであるため、浴室壁面１に凹凸が有っても取付け具３０と浴室壁面１との間に第２止水部材６０であるシリコーンシーラントを隙間なく充填することができる。このため、この浴室壁取付け用電気機器は、浴室壁面１を伝って流れ落ちる水が第２止水部材６０よりも下方に位置する第１止水部材５０まで流れ落ちることを確実に防止することができる。よって、この浴室壁取付け用電気機器は、より確実に配線取出し部１３から電気機器本体内に水が浸入し難くすることができる。
【００３１】
また、この浴室壁取付け用電気機器は、テレビ１０と浴室壁面１との間で押し潰されて挟まれる第１止水部材５０、及びテレビ１０と取付け具３０との間で押し潰されて挟まる第３止水部材７０がパッキンである。このため、この浴室壁取付け用電気機器はテレビ１０を取付け具３０に着脱自在に容易に取り付けることができる。よって、この浴室壁取付け用電気機器は、図４に示すように、リベット８０を係止状態からマイナスドライバー等の工具の先端を軸部本体８３Ａの鍔部８３Ｂに引っ掛けて、軸部本体８３Ａの先端部を頭部本体８１Ａの先端から後退させ、被係止状態にし、リベット８０を取付け具３０の孔３５Ｃとテレビ１０の貫通孔１７Ｂとから引き抜くと、テレビ１０を取付け具３０から容易に取り外すことができる。このように、この浴室壁取付け用電気機器は、テレビ１０を取付け具３０から取り外して修理や、交換を容易に行うことができる。
【００３２】
本発明は上記記述及び図面によって説明した実施例１に限定されるものではなく、例えば次のような実施例も本発明の技術的範囲に含まれる。
（１）実施例１では、第３止水部材を備えていたが、第３止水部材を備えていなくてもよい。
（２）実施例１では、第１止水部材及び第３止水部材が弾性を有する発泡性の樹脂シートで形成されたパッキンであったが、第１止水部材及び第３止水部材はゴム等の他の材料で形成されたパッキンであってもよい。
（３）実施例１では、第２止水部材がシリコーンシーラントであったが、材質が異なるペースト状のシーリング材であってもよい。また、ペースト状のシーリング材でなく、第１止水部材や第３止水部材と同じパッキンであってもよい。
（４）実施例１では、電気機器本体がテレビであったが、電気機器本体はラジオ、リモートコントローラ等の電気機器であってもよい。
（５）実施例１では、リベットを利用してテレビと取付け具とを着脱自在に取り付けたが、リベットの代わりにねじ止めしてもよい。
（６）実施例１では、配線取出し部はテレビの内部から配線が延び出していたが、配線取出し部にコネクタが設けられ、配線取出し部で外部配線と連結してもよい。
（７）実施例１では、取付け具をステンレス製の板材によって形成したが、取付け具は樹脂製であってもよい。
（８）実施例１では、第２止水部材を一直線上に塗布したが、一直線上でなく、上側や下側に膨らんだり、波打ったりして水平方向に延びるように塗布してもよい。
【符号の説明】
【００３３】
１…浴室壁面
１０…テレビ（電気機器本体）
１３…配線取出し部
３０…取付け具
３１Ａ…中央開口部（開口部）
５０…第１止水部材
６０…第２止水部材
７０…第３止水部材
【図１】
2018074276.tif 000003
【図２】
2018074276.tif 000004
【図３】
2018074276.tif 000005
【図４】
2018074276.tif 000006